(57)【要約】      （修正有）【課題】家きんが生涯初めて、食物、水を見つけ出させる照明装置の提供。【解決手段】給餌システムまたは給水システム２０と、給餌されるまたは給水される鳥類の目の高さに相当する高さで給餌システムまたは給水システム２０に取り付けられ、白色、青色、または緑色からなる群から選択される色を有する光を放出するＬＥＤ照明の光源とを含む、鳥類の小屋のための照明システムを対象とする。また、ＬＥＤ照明システムを使用して給餌システムまたは給水システム２０に鳥類を引きつける方法を対象とする。【選択図】図１
2013017468.tif 000002
【特許請求の範囲】
【請求項１】
鳥類の小屋のための照明システムであって、
ａ．給餌システムまたは給水システムと、
ｂ．給餌されるまたは給水される鳥類の目の高さに一般に相当する高さで給餌システムまたは給水システムに取り付けられ、白色、青色、または緑色からなる群から選択される色を有する光を放出するＬＥＤ照明の光源とを含む、照明システム。
【請求項２】
ＬＥＤ光源が白色であり、約２，５００Ｋから約７，０００Ｋまでの相関色温度を有する、請求項１に記載の照明システム。
【請求項３】
ＬＥＤ光源が白色であり、約２，７００Ｋから約６，５００Ｋまでの相関色温度を有する、請求項１に記載の照明システム。
【請求項４】
ＬＥＤ光源が白色であり、約３，０００Ｋから約６，５００Ｋまでの相関色温度を有する、請求項１に記載の照明システム。
【請求項５】
ＬＥＤ光源が白色であり、寒色系白色と分類される、請求項１に記載の照明システム。
【請求項６】
ＬＥＤ光源が白色であり、暖色系白色と分類される、請求項１に記載の照明システム。
【請求項７】
ＬＥＤ光源が青色であり、約４２０ｎｍから約５２０ｎｍまでの波長を有する、請求項１に記載の照明システム。
【請求項８】
ＬＥＤ光源が青色であり、約４４０ｎｍから約５００ｎｍまでの波長を有する、請求項１に記載の照明システム。
【請求項９】
ＬＥＤ光源が緑色であり、約４８０ｎｍから約６００ｎｍまでの波長を有する、請求項１に記載の照明システム。
【請求項１０】
ＬＥＤ光源が緑色であり、約５００ｎｍから約５５０ｎｍまでの波長を有する、請求項１に記載の照明システム。
【請求項１１】
ＬＥＤ光源が約１０ルクスから約３０ルクスまでの強度を有する、請求項１に記載の照明システム。
【請求項１２】
ＬＥＤ光源が約２０ルクスから約３０ルクスまでの強度を有する、請求項１に記載の照明システム。
【請求項１３】
ＬＥＤ光源がストリップライトまたはロープライトである、請求項１に記載の照明システム。
【請求項１４】
ＬＥＤ光源の放出するダイオードがストリップライトまたはロープライトの長さに直角に配置される、請求項１３に記載の照明システム。
【請求項１５】
ＬＥＤ照明が、給餌システムまたは給水システムの食物または水の送達装置の近傍に配置される、請求項１に記載の照明システム。
【請求項１６】
給餌システムまたは給水システムに鳥類を引きつける方法であって、
ａ．給餌システムまたは給水システムを提供するステップと、
ｂ．給餌されるまたは給水される鳥類の目の高さに一般に相当する高さで給餌システムまたは給水システムに取り付けられ、白色、青色、または緑色からなる群から選択される色を有する光を放出するＬＥＤ照明の光源を提供するステップと、
ｃ．鳥類を給餌システムまたは給水システムに引きつけるために照明された構成でＬＥＤ光源を維持するステップとを含む、方法。
【請求項１７】
鳥類が家きん、ニワトリ、ウズラ、カモ、ひな鳥、キジ、七面鳥、および任意の別の狩猟鳥からなる群から選択される、請求項１６に記載の方法。
【請求項１８】
光が１日当たり２４時間照明された構成で維持される、請求項１６に記載の方法。
【請求項１９】
鳥類が誕生と約４日の年齢の間にある、請求項１６に記載の方法。
【請求項２０】
鳥類に対して生涯の少なくとも最初の４日間利用される、請求項１６に記載の方法。
【発明の詳細な説明】
【技術分野】
【０００１】
本出願は、全体が参照により本明細書に組み込まれる、２０１１年６月１１日に提出された米国仮特許出願第６１／５０６，４５５号明細書、および２０１１年６月１３日に提出された米国仮特許出願第６１／５０７，２３０号明細書の優先権を主張する。
【０００２】
本発明は、一般に鳥類を餌場または水場に引きつけるための照明装置および照明方法に関する。
【発明の概要】
【課題を解決するための手段】
【０００３】
一実施形態では、本発明は給餌システムおよび給水システムと、給餌されるまたは給水される鳥類の目の高さに一般に相当する高さで給餌システムまたは給水システムに取り付けられ、白色、青色、または緑色からなる群から選択される色を有する光を放出するＬＥＤ照明の光源とを含む鳥類の小屋のための照明システムを対象とする。
【０００４】
別の実施形態では、本発明は、給餌システムまたは給水システムを提供するステップと、給餌されるまたは給水される鳥類の目の高さに一般に相当する高さで給水システムに取り付けられ、白色、青色、または緑色からなる群から選択される色を有する光を放出するＬＥＤ照明の光源を提供するステップと、給餌システムまたは給水システムに鳥類を引きつけるために照明された構成でＬＥＤ光源を保持するステップとを含む、給餌システムまたは給水システムに鳥類を引きつける方法を対象とする。
【０００５】
本発明の完全で権能を付与される開示が、添付の図面を参照して明細書で明らかにされる。
【図面の簡単な説明】
【０００６】
【図１】作動状態で示される、本発明の照明システムの一実施形態を図示する。
【図２】別々の部分として示される、本発明の照明システムの一実施形態を図示する。
【図３】本発明の照明システムの一実施形態を図示する。
【図４】本発明の照明システムのための代替の取り付け機構を図示する。
【図５】本発明の照明システムの断面図を図示する。
【発明を実施するための形態】
【０００７】
ここで、本発明の実施形態が詳細に参照され、本発明の実施形態の１つまたは複数の実施例が以下で明らかにされる。各実施例が、本発明の限定ではなく、本発明の説明として提供される。実際、本発明の範囲または精神を逸脱することなく本発明に様々な修正および変形が行われることができることが当業者には明らかである。たとえば、ある実施形態の一部として図示されるまたは説明される特徴が、別の実施形態で使用され、さらなる実施形態をもたらし得る。
【０００８】
したがって、本発明は、添付の特許請求の範囲およびそれらの均等物の範囲内であるような修正および変形をカバーすることが意図される。本発明の別の目的、特徴、および様態が、以下の詳細な説明で開示され、明らかになる。本説明は例示的実施形態の説明でしかなく、本発明のより広い様態を限定するものとして意図されるものではないことが当業者により理解されるべきである。
【０００９】
鳥類は、家きんを含み、光に対して非常に敏感である。光は、鳥類が活動的になり自分たちの食物および水を見つけ出すことができるようにするだけでなく、季節的繁殖のために鳥類の脳を刺激する。光は鳥類の目を通してだけでなく、羽、皮膚、および頭骨を貫通した後に鳥類の脳内の受容体を通して知覚されると信じられている。目の見えない鳥でさえ光に応答することを研究が示している。
【００１０】
光は、生涯の最初の４日間、家きんにとって特に重要である。たとえばひよこが食物および水を見つけ出すことを学ぶことを保証するために、生涯の最初の３日間、２４時間の照光を推奨する飼育者がいる。
【００１１】
生涯の最初の４日間、特定の光源が水場に関連付けられる場合、その水場に家きんを引きつける特定の光源に家きんが引きつけられることを本発明者らは発見した。本発明の装置および方法は、家きんを水場に意外にも迅速に導き、したがって、脱水症を防止する。この場合、水分補給した家きんは、より容易に餌場を見つけ出すことができ、標準的家きん事業で可能なよりもより迅速に体重が増え、その結果、生存率、体重、および飼料要求率が増大する。
【００１２】
一実施形態では、本発明で利用される光源は発光ダイオード（ＬＥＤ）とすることができる。ＬＥＤは、電気エネルギを直接光に変換するソリッドステート半導体素子である。ＬＥＤは、片側が負電流を運ぶしばしばアンビルと呼ばれるリフレクタカップの最上部に接合される半導体のチップまたはダイからなる。半導体の反対側は、正電流を供給するしばしばウィスカと呼ばれる微小電線で接続される。半導体チップは２つの部分、すなわち正孔が領域を支配するＰタイプ半導体、および電子により支配されるＮタイプ半導体からなる。ＰタイプおよびＮタイプの半導体が一緒にサンドイッチ状にされたとき、ＰＮ接合が形成される。電流がリード線を通してチップに加えられるとき、電子が接合部を横断してＰ領域の中に押し込まれる。そこで、電子および正孔が出会い、再結合し、このとき光の光子の形でエネルギを放出する。光の波長（色）はＰＮ接合を形成する材料に依存する。一実施形態では、ＬＥＤ光源は有機ＬＥＤ、すなわちＯＬＥＤでもよい。
【００１３】
一般的に言えば、本発明で利用される放出されるＬＥＤ光は、可視、紫外線、および／または赤外線の波長スペクトル内とすることができる。本発明の一実施形態では、放出される光は可視光スペクトル内にある。半導体材料を適切に選択することにより、ＬＥＤは白色光、またはある種の色、たとえば赤色、青色、または緑色の光を放出するように構成されることができる。ＬＥＤは白熱光源に対して、より低いエネルギ消費、より長い寿命、改善された堅牢性、より小さなサイズ、より速いスイッチング、ならびにより高い耐久性および信頼性を含む利点を提供する。
【００１４】
本発明で使用されるＬＥＤ光源は、当該技術分野で知られている任意の色とすることができる。一実施形態では、本発明のＬＥＤ光源は白色光である。特定の実施形態では、ＬＥＤ光源は暖色系白色光（ｂｒｉｇｈｔ  ｗｈｉｔｅ  ｌｉｇｈｔ）または寒色系白色光（ｃｏｏｌ  ｗｈｉｔｅ  ｌｉｇｈｔ）を含む。別の実施形態では、ＬＥＤ光源は青色光または緑色光を含む。任意の実施形態で、ＬＥＤ光が燐光体でコートされることができる。一実施形態では、白色光は赤色、緑色、および青色の光を放出する層を組み合わせることにより放出されることができる。放出される光の色は各ＬＥＤ光を作るために使用される材料に依存し得る。一例では、青色ＬＥＤが窒化ガリウム（ＧａＮ）または窒化インジウムガリウム（ＩｎＧａＮ）を含むことがある。別の例では、緑色ＬＥＤがリン化アルミニウムガリウム（ＡｌＧａＰ）を含むことがある。
【００１５】
一実施形態では、青色ＬＥＤに関連する波長は約４２０ｎｍから約５２０ｎｍまでの間となることがある。特定の実施形態では、青色ＬＥＤに関連する波長が約４４０ｎｍから約５００ｎｍまでの間となることがある。別の実施形態では、緑色ＬＥＤに関連する波長が約４８０ｎｍから約６００ｎｍまでの間となることがある。さらに別の実施形態では、緑色ＬＥＤに関連する波長が約５００ｎｍから約５５０ｎｍまでの間となることがある。
【００１６】
ＬＥＤを使用して白色光を達成する方法がいくつかあり、その方法のどれも、本発明により予想される。一実施形態では、白色光ＬＥＤは、ＬＥＤにより放出される放射の一部を吸収し異なる色（波長）の放射を再放出する１つの蛍光体材料を含むことがある。この実施形態では、ＬＥＤのダイまたはチップがスペクトルの可視部分内で青色光を発生させることができ、蛍光体が黄色光、または緑色光および赤色光の組合せを再放出することができる。蛍光体により吸収されない、ＬＥＤにより発生させられる可視青色光の一部が、黄色光、または放出される緑色光および赤色光の組合せと混合して、目に色が白色として見える光を提供することができる。別の実施形態では、赤色、緑色、および青色のＬＥＤが、白色光を生成するために組み合わせられることができる。一実施形態では、白色、青色、または緑色のＬＥＤ光を発生させる任意の方法が利用されることができる。一実施形態では、ＬＥＤ光源は単色でも、多色でもよい。
【００１７】
相関色温度（ＣＣＴ）が白色光源の相対的な色の見えを提供し、白色光源の色相を理論上の過熱された黒体放射体と比較することにより決定される。ＣＣＴはケルビン（Ｋ）で指定され、色度が光源の色度に最も近く類似する黒体の絶対温度に相当する。白色ＬＥＤのＣＣＴはＬＥＤ内で使用されるＬＥＤのダイまたはチップにより放出される光の波長およびパワーにより決定される。たとえば白色ＬＥＤに対するＣＣＴの範囲は、一般に約２，５００Ｋから約７，０００Ｋまでであり、低い方の色温度は「より暖かい」色と呼ばれ、高い方の色温度は「より冷たい」色と呼ばれる。ＣＣＴに基づく白色光の色の特定の命名は、製造業者に基づき変わることがある。
【００１８】
一実施形態では、ＬＥＤ光源は約２，５００Ｋから約７，０００ＫまでのＣＣＴを有する。別の実施形態では、ＬＥＤ光源は約２，７００Ｋから約６，５００ＫまでのＣＣＴを有する。別の実施形態では、ＬＥＤ光源は約３，０００Ｋから約６，５００ＫまでのＣＣＴを有する。別の実施形態では、ＬＥＤ光源は約３，５００Ｋから約６，０００ＫまでのＣＣＴを有する。さらに別の実施形態では、ＬＥＤ光源は約４，５００Ｋから約６，５００ＫまでのＣＣＴを有する。特定の実施形態では、ＬＥＤ光源は約３，５００ＫのＣＣＴを有する。本明細書で提供される範囲は例でしかなく、明らかにされたこれらの間の任意の個々の色温度または色温度の範囲が本発明により予想される。
【００１９】
一実施形態では、ＬＥＤ光源の強度が約１０ルクスから約３０ルクスまでとすることができる。別の実施形態では、ＬＥＤ光源の強度は約２０ルクスから約３０ルクスまでとすることができる。
【００２０】
一実施形態では、光源によりルーメン（ｌｍ）で提供される光の量が約０．１０ｌｍから約１．０ｌｍまでとすることができる。特定の実施例では、提供される光の量は約０．７５ｌｍとすることができる。
【００２１】
一実施形態では、電源が約１２Ｖから約２２０Ｖまでの交流入力を提供するように構成されることができる。別の例では、電源が約２４Ｖから約１１０Ｖまでの交流入力を提供するように構成されることができる。特定の実施例では、電源が約１２０Ｖの交流入力を提供するように構成されることができる。一実施形態では、電源の直流出力が約１２Ｖから約２２０Ｖまでとすることができる。別の実施形態では、電源は約２４Ｖから約１１０Ｖまでの直流出力を提供するように構成されることができる。
【００２２】
一実施形態では、ＬＥＤ光源はストリップライトでもロープライトでもよい。ストリップライトが、片側に任意選択の接着剤を有する平坦なストリップとして構成することができる。ＬＥＤ光はプラスチックまたはＰＶＣの層の背後の間隔を置いた平坦なストリップ内部に含まれる。ストリップ上の光は、所望の長さのストリップに従って切断され、カスタマイズされることができる。ロープライトが、典型的にはロープ内部に間隔を置いてＬＥＤ光を有するプラスチックまたはＰＶＣのロープとして構成される。一実施形態では、ＬＥＤ光源は防水性がある、撥水性がある、耐水性がある、撥湿性、および／または耐湿性がある。ＬＥＤ光源を覆うプラスチックのレンズ、ロープ、またはカバーが、所望の効果または照明色に応じて透明でも、着色されてもよい。
【００２３】
一実施形態では、ストリップライトまたはロープライト内部のＬＥＤ光は、約１／１６インチから約６インチまで離すことができる。別の実施形態では、光は約１／４インチから約３インチまで離すことができる。さらに別の実施形態では、光は約１／２インチから約２インチまで離すことができる。
【００２４】
一実施形態では、ストリップ照明またはロープ照明の長さが約１インチから約１０００フィートまでとすることができる。別の実施形態では、ストリップ照明またはロープ照明の長さが約１フィートから約１００フィートまでとすることができる。一実施形態では、ストリップ照明またはロープ照明の長さが、給水システムまたは水場の長さに相当することがある。
【００２５】
一実施形態では、個々のＬＥＤ光の直径が約０．５ｍｍから約８ｍｍまである。別の実施形態では、個々のＬＥＤ光の直径が約１ｍｍから約５ｍｍまである。別の実施形態では、個々のＬＥＤ光の直径が約８ｍｍ未満である。特定の実施形態では、個々のＬＥＧ光の直径が約２ｍｍである。別の実施形態では、個々のＬＥＧ光のサイズが、直径約２ｍｍ掛ける長さ約２０ｍｍである。
【００２６】
一実施形態では、ＬＥＤ光を放出するダイオードが家きんに対して目の高さに取り付けられることがある。したがって、光は家きんの目と平行な方向に放出されることができる。前記別の方法では、この実施形態では、ＬＥＤ光のダイオードは、ＬＥＤ光のダイオードが、それが含まれるストリップまたはロープの長さに直角となるように構成される。この場合、ストリップライトまたはロープライトは、放出される光が家きんの目の方へ向けられるように構成される。一実施形態では、ダイオード、およびしたがって、放出される光が、家きん小屋の床に平行となり、家きんの目の高さに、または家きんの目の高さのすぐ上に配置される。一実施形態では、ＬＥＤは、ダイオードの最上部および側面から半球パターンで光を放出する。一実施形態では、ＬＥＤ光のダイオードは、ＬＥＤ光のダイオードが含まれるストリップまたはロープの長さに平行になるように構成される。特定の実施形態では、光源は、ストリップライトまたはロープライトが２つ以上の方向に光を放出し、放出方向が家きん小屋の床に平行で家きんの目の高さとなるように構成されることができる。さらに別の実施形態では、光源はすべての方向に光を放出するように構成されることができる。さらに別の実施形態では、光源３６０°に光を放出するように構成されることができる。
【００２７】
本発明のＬＥＤ光源は、当該技術分野で知られている任意の構成を有することができる。一実施形態では、ＬＥＤ光源は凹面および／または円形とすることができる。別の実施形態では、ＬＥＤ光源はＬＥＤアレイでもよい。一実施形態では、ＬＥＤ光は直列にまたは並列に配線されることができる。
【００２８】
典型的家きん小屋では、鳥に水を提供するために給水システムが使用される。図面を参照すると、特に図１に示されるように、この家きん給水システム１０が、本明細書で説明されるように、給水システム２０と組み合わせてＬＥＤ光源３０を利用する。当該技術分野で知られている、または使用するのに適した任意の給水システムが本発明で利用されることができる。一実施形態では、給水システムは重力式給水システムとすることができる。別の実施形態では、給水システムは、低ｐｓｉ（０から１０ｐｓｉまで）の給水システムとすることができる。給水システムの送水装置４０が円形、正方形、長方形、または当該技術分野で知られているもしくはそのような給水システムで使用するのに適した任意の構成とすることができる。一実施形態では送水装置４０はニップルとすることができる。給水システムは滴受つきもしくはなしで、および／またはカップ、受け皿、もしくはトレイつきで構成されることができる。一実施形態では、照明システムは、任意の鳥類のための給餌システムと一緒に使用されることができる。一実施形態では、給水システムはＺｉｇｇｉｔｙ  Ｓｙｓｔｅｍｓ  Ｉｎｃ．から入手できるＺｉｇｇｉｔｙ（Ｒ）給水システム、Ｇｉｌｌｉｓ  Ａｇｒｉｃｕｌｔｕｒａｌ  Ｓｙｓｔｅｍｓ，Ｉｎｃ．から入手できるＬｕｂｉｎｇ給水システム、またはＶａｌｃｏ  Ｃｏｍｐａｎｉｅｓ，Ｉｎｃ．から入手できるＶａｌ−Ｃｏ（ＴＭ）給水システムでもよい。
【００２９】
一実施形態では、本発明のＬＥＤ光源３０は、水場の送水装置（ニップルなど）の上、近傍、またはすぐ上に配置される。別の実施形態では、カップ（図示せず）が家きんのための供給水を入れるために使用されることができる。この実施形態では、ＬＥＤ光源３０はカップ近傍の地面上に配置されることも、カップの基部またはへりに取り付けられることもある。たとえば、七面鳥については、水はバケツの端の周りに飼い葉桶を有する５ガロンバケツ内に配置されることができる。この実施形態では、本発明のＬＥＤ光源は、飼い葉桶のへりのすぐ下に配置されることができる。
【００３０】
一実施形態では、個々のＬＥＤ光７０がストリップライトまたはロープライトの全長に沿って伸びることがある。別の実施形態では、個々のＬＥＤ光７０が、たとえば送水装置４０の位置に対応してストリップライトまたはロープライトの内部の特定の位置に配置されることがある。
【００３１】
ＬＥＤ光源３０を給水システム２０に取り付けるために、当該技術分野で知られている固定機構が本発明で利用されることができる。一実施形態では、固定機構は一連のプラスチックタイ５０とすることができる。別の実施形態では、固定機構はクリップ６０でも、当該技術分野で知られているまたは本発明で有用な任意の別の締め具でもよい。一実施形態では、固定機構はＬＥＤ光源３０を給水システム２０に恒久的に固定することができる。別の実施形態では、固定機構はＬＥＤ光源３０を給水システム２０に移動可能に固定することができる。
【００３２】
一実施形態では、ＬＥＤ光源３０は暖色系白色光を含むことができ、ＬＥＤロープライト内に配置される。別の実施形態では、ＬＥＤ光源３０は寒色系白色光を含むことができ、ＬＥＤロープライト内に配置されることができる。
【００３３】
一実施形態では、本発明の照明システムは、家きんのために生涯の最初の４日間利用されることができる。別の実施形態では、本発明の照明システムは、家きんのために生涯の最初の４日間の少なくとも１日間利用されることができる。別の実施形態では、本発明の照明システムは、家きんのために生涯の最初の４日間の少なくとも２日間利用されることができる。一実施形態では、本発明の照明システムは、家きんの全生涯中に利用されることができる。一実施形態では、照明システムは１日当たり２４時間照明された構成で維持されることができる。別の実施形態では、照明システムは１日当たり少なくとも２０時間照明された構成で維持されることができる。別の実施形態では、照明システムは１日当たり少なくとも１５時間照明された構成で維持されることができる。当該技術分野で知られているが、１日当たり鳥に提供される光の量は、鳥の年齢、および鳥が飼育されている目的に応じて変わることがある。
【００３４】
一実施形態では、本発明は、任意の鳥類の鳥、たとえばニワトリ、ウズラ、カモ、ひな鳥、キジ、七面鳥、および任意の別の狩猟鳥への水の供給に関連して有用となり得る。一実施形態では、本発明はブロイラ、繁殖ニワトリ、または若い雌鶏に関連して有用となり得る。一実施形態では、本発明はひな、雌鶏、またはポメラニアンに関連して有用となり得る。
【００３５】
一実施形態では、本発明は鳥類の鳥への食物の供給に関連して有用となり得る。この実施形態では、照明システムは給餌システム、飼料の受け皿、または餌場の近傍に配置される、またはそれらに取り付けられることができる。本発明の照明システムは、本発明の照明システムが鳥を水場に引きつけるのと同じ方法で鳥類を餌場に引きつけることができる。特定の実施形態では、本発明の照明システムは鳥を任意の所望の場所に引きつけるために使用されることができる。
【００３６】
一実施形態では、本発明の照明システムは、自然照明および／または標準的照明、天井の照明、あるいは鳥類の小屋内に存在することがある別な方法に加えて使用されることができる。別の実施形態では、本発明の照明システムは、自然照明および／または標準的照明、天井の照明、あるいはその他の方法の代替として使用されることができる。
【００３７】
一実施形態では、本発明の照明システムは、照度および／またはＣＣＴの連続的または段階的な調節ができる調節機構を含む。一実施形態では、光源のＣＣＴは調整できることがある。別の実施形態では、家きんは、最低レベルの照度から最高レベルの照度まで、および／または最高レベルの照度から最低レベルの照度まで、段階的または連続的な方法で光に曝されることができる。一実施形態では、照明システムは定期間隔で照明システムをオンおよびオフに切り換えることができるタイマ式とすることができる。別の実施形態では、本発明の照明システムは明滅するＬＥＤ光を使用することができる。ある種の実施形態では、ＬＥＤ光の一部が明滅することができるが、他が連続的なオンまたはオフの構成のまま残る。特定の実施形態では、照明システムのニップルに最も近い光が明滅することがある。
【００３８】
さらに、一実施形態では、鳥のサイズと無関係に鳥に対して目の高さに光が維持されることができるように、照明システムが高さを調節できることがある。
【００３９】
実施例１
当該技術分野で知られている標準的照明条件の下で誕生から成熟する（ほぼ３５から４５日）までのウズラの平均生存率はほぼ７２％である。この実施例で示されるように、本発明の照明条件の下で誕生から成熟する（ほぼ３５から４５日）までのウズラの平均生存率はほぼ９５％であった。これは、本発明が利用される場合、平均生存率が１８％だけ改善されることを実証している。
【００４０】
実施例２
平均的ひよこは、標準的照明条件の下で、生涯の最初の４日間に１日当たりほぼ２／１０オンス食べる。この例で示されるように、ひよこは本発明の照明条件の下で生涯の最初の４日間に１日当たりほぼ１／２オンス食べた。増えた食物摂取量のために、試験されたひよこはその体重が４倍になった。ブロイラについては、この初期に改善された成長が、ニワトリのライフサイクルのほぼ１から７日を削除する。農業経営者は、本発明が利用される場合、飼料に関する費用をかなり節約することができ、より重い体重でより早くニワトリを市場に持って行くことができる。
【００４１】
実施例３
この実施形態では、ＬＥＤ光源の様々な色が、鳥を最も引きつける色を決定するためにウズラ小屋で試験された。ＬＥＤ光源の試験された色／タイプは、寒色系白色（ＬＥＤロープ）、暖色系白色（ＬＥＤロープ）、温白色（ｗａｒｍ  ｗｈｉｔｅ）（ＬＥＤストリップ）、青色（ＬＥＤストリップ）、赤色（ＬＥＤストリップ）、黄色（ＬＥＤストリップ）、および緑色（ＬＥＤ光源ストリップ）であった。試験された光源のそれぞれの長さがほぼ４フィートであった。ウズラ小屋では、各ロープまたはストリップが目の高さでＺｉｇｇｉｔｙ（Ｒ）給水システムの一部に取り付けられ、次の光源から約３フィートだけ離された。ロープまたはストリップを給水パイプのニップルのすぐ上で取り付けた後、ＬＥＤ光源のスイッチが入れられた。
【００４２】
生まれて１日のほぼ８０，０００の鳥がウズラ小屋内に置かれた。鳥は寒色系白色、暖色系白色、青色、および緑色の光源に向けて即座に移動した。鳥はほぼ９０分以内に、本発明の使用により水を見つけ出すことができた。鳥は赤色、黄色、または温白色の光に引きつけられず、それらの光に向かって移動しなかった。
【００４３】
これらの実施例では、本発明者らは死亡率を２７．４％から約５％まで低減することができた。すなわち、ほぼ７２．６％の鳥が市場まで生存するのではなく、鳥が市場まで生存する割合がほぼ９５％であった。これらの実施例では、家きんはサイズが約３０百分位数から約６０百分位数まで増大した。同様に、これらの実施例では、照明システムへの２から３日以内の暴露で家きんのサイズが著しく増大した。
【００４４】
本発明の特定の実施形態が具体的な用語、装置、および方法を使用して説明されたが、そのような説明は例示目的のためだけである。使用される用語は、限定の用語ではなく説明の用語である。以下の特許請求の範囲で明らかにされる本発明の精神または範囲を逸脱することなく当業者により変更および変形が行われることができることが理解されるべきである。さらに、様々な実施形態の態様が全部または部分的の両方で取り替えられることができることが理解されるべきである。したがって、添付の特許請求の範囲の精神および範囲は、本明細書に含まれる好ましいバージョンの説明に限定されるべきではない。
【符号の説明】
【００４５】
１０  家きん給水システム
２０  給水システム
３０  ＬＥＤ光源
４０  送水装置
５０  プラスチックタイ
６０  クリップ
７０  ＬＥＤ光
【図１】
2013017468.tif 000003
【図２】
2013017468.tif 000004
【図３】
2013017468.tif 000005
【図４】
2013017468.tif 000006
【図５】
2013017468.tif 000007
【外国語明細書】
2013017468000001.pdf